(57)【特許請求の範囲】
【請求項１】
建造物の躯体に複数枚のカーテンウォールを、この躯体の開口部を塞ぐ状態で設置して成る建造物の外壁であって、
これら各カーテンウォールは、支持枠と、凹凸意匠連続部と、張り出し凸部と、張り出し凹部とを備えており、
このうちの支持枠は、４本の枠材により４辺を構成して成り、これら４本の枠材のうち、互いに並行な２本ずつ２組の枠材は、それぞれ一方の枠材の外面に受凹部を、他方の枠材の外面にこの受凹部に嵌合可能な形状及び大きさを有する嵌合凸部を、各枠材の全長に亙り設けたものであり、上記各カーテンウォールの連接方向に関して隣り合うカーテンウォール同士は、一方のカーテンウォールを構成する枠材の外面に形成された受凹部と、他方のカーテンウォールを構成する枠材の外面に形成された嵌合凸部とを嵌合させる事により組み合わされており、
上記凹凸意匠連続部は、断面形状を波形とした耐食鋼板により構成され、上記各カーテンウォールの屋外側面の少なくとも一部でこれら各カーテンウォールの端縁に迄達する部分に、これら各カーテンウォールを連接する方向に関して凹部と凸部とを規則的に繰り返して成るものであり、
上記張り出し凸部は、上記凹凸意匠連続部を構成する凸部と同じ外面形状を有するもので、この凹凸意匠連続部を構成する凹部と凸部との繰り返し方向に関して隣り合う１対のカーテンウォールの互いに対向する端縁のうち、一方のカーテンウォールの端縁に、他方のカーテンウォールの端縁に向けて張り出す状態で、上記連接する方向に隣り合う状態で配置された上記一方のカーテンウォールを構成する枠材と上記他方のカーテンウォールを構成する枠材との間部分を屋外側から覆う様に設けられており、
上記張り出し凹部は、上記凹凸意匠連続部を構成する凹部の底部と同じ外面形状を有し、この凹部の底部よりも大きな幅寸法を有するものであり、上記他方のカーテンウォールの端縁に、上記一方のカーテンウォールに向けて張り出す状態で設けられており、
上記張り出し凹部を上記張り出し凸部の屋内側に隙間を介して潜り込ませる事で、この張り出し凸部と、上記他方のカーテンウォールの凹凸意匠連続部の端部に存在する凸部との間に、この凹凸意匠連続部を構成する凹部と同じ形状を有する連続部凹部を形成した建造物の外壁。
【請求項２】
支持枠に建造物の外壁面を構成するパネルを支持して成り、建造物の躯体に、この躯体の開口部を塞ぐ状態で設置するカーテンウォールであって、
上記支持枠は、４本の枠材により４辺を構成して成り、これら４本の枠材のうち、互いに並行な２本ずつ２組の枠材は、それぞれ一方の枠材の外面に受凹部を、他方の枠材の外面にこの受凹部に嵌合可能な形状及び大きさを有する嵌合凸部を、各枠材の全長に亙り設けたものであり、
上記パネルは、上記カーテンウォールの屋外側面の少なくとも一部で端縁に迄達する部分に、上記躯体にこのカーテンウォールを連接する方向に関して一端縁から他端縁に迄設けられた凹凸意匠連続部と、同じく一端縁に設けられた張り出し凸部と、同じく他端縁に設けられた張り出し凹部とを備え、
このうちの凹凸意匠連続部は、断面形状を波形とした耐食鋼板により構成され、上記連接する方向に関して凹部と凸部とを規則的に繰り返して成るものであり、
上記張り出し凸部は、上記凹凸意匠連続部を構成する凸部と同じ外面形状を有するもので、上記連接する方向に上記カーテンウォールを配置した場合に、隣り合う状態で配置された枠材同士の間部分を屋外側から覆うものであり、
上記張り出し凹部は、上記凹凸意匠連続部を構成する凹部の底部と同じ外面形状を有し、この凹部の底部よりも大きな幅寸法を有するもので、その他端側部分が、隣り合う状態で配置されたカーテンウォールの一端縁に設けられた張り出し凸部の屋内側に隙間を介して配置されるものである、カーテンウォール。
【請求項３】
凹凸意匠連続部は、鋼板の表面に亜鉛メッキ層を被覆して成るものであり、この凹凸意匠連続部を構成する耐食鋼板と屋内側に設けた耐火ボードとの間に断熱パネルを設置しており、これら耐食鋼板と耐火ボードと断熱パネルとから外れた部分の少なくとも一部に、ガラスパネルを備えた窓構造部を設けており、屋内側面のうちでこの窓構造部の下端部及び上記耐火ボードの上端部に位置する部分に窓開口の下縁を仕切る膳板を、同じく上記窓構造部の上端部に位置する部分にカーテンボックスを、それぞれ設けている、請求項２に記載したカーテンウォール。
【請求項４】
支持枠に建造物の外壁面を構成するパネルを支持して成り、建造物の躯体に、この躯体の開口部を塞ぐ状態で設置するカーテンウォールであって、
上記支持枠は、４本の枠材により４辺を構成して成り、これら４本の枠材のうち、互いに並行な２本ずつ２組の枠材は、それぞれ一方の枠材の外面に受凹部を、他方の枠材の外面にこの受凹部に嵌合可能な形状及び大きさを有する嵌合凸部を、各枠材の全長に亙り設けたものであり、
上記パネルは、上記カーテンウォールの屋外側面の少なくとも一部で端縁に迄達する部分に、上記躯体にこのカーテンウォールを連接する方向に関して一端縁から他端縁に迄設けられた凹凸意匠連続部と、同じく一端縁に設けられた張り出し凸部と、同じく他端縁に設けられた張り出し凹部とを備え、
このうちの凹凸意匠連続部は、鋼板の表面に亜鉛メッキ層を被覆し、断面形状を波形とした耐食鋼板により構成され、上記連接する方向に関して凹部と凸部とを規則的に繰り返して成るものであり、
上記張り出し凸部は、上記凹凸意匠連続部を構成する凸部と同じ外面形状を有するものであり、
上記張り出し凹部は、上記凹凸意匠連続部を構成する凹部の底部と同じ外面形状を有し、この凹部の底部よりも大きな幅寸法を有するものであり、
上記凹凸意匠連続部を構成する上記耐食鋼板と屋内側に設けた耐火ボードとの間に断熱パネルを設置しており、これら耐食鋼板と耐火ボードと断熱パネルとから外れた部分の少なくとも一部に、ガラスパネルを備えた窓構造部を設けており、この窓構造部の上端と上記凹凸意匠連続部の下端との間に換気構造部を設けており、屋内側面のうちで上記窓構造部の下端部及び上記耐火ボードの上端部に位置する部分に窓開口の下縁を仕切る膳板を、同じく上記窓構造部の上端部に位置する部分で、上記換気構造部の下端部に位置する部分にカーテンボックスを、それぞれ設けている、カーテンウォール。
【請求項５】
凹凸意匠連続部が、複数の素板をカーテンウォールの連接方向に連接して成るものであり、これら各素板は支持枠に対してそれぞれ結合固定されており、張り出し凸部は、上記連接方向の一端側に設けられた枠材に、張り出し凹部は、同じく他端側に設けられた枠材に、それぞれ結合固定されている、請求項２〜４のうちの何れか１項に記載したカーテンウォール。
【発明の詳細な説明】
【技術分野】
【０００１】
本発明は、ビルディングの外壁面及びこの外壁面を構成するカーテンウォールの改良に関する。具体的には、隣り合うカーテンウォール同士の継ぎ目の存在を、外観上分からなくして、上記外壁面の意匠の連続性を保てる構造を実現するものである。
【背景技術】
【０００２】
ビルディングの如き鉄骨建造物を造る場合、鉄骨（躯体）を組み立てた後、この鉄骨の外側に予め工場で造った複数枚のカーテンウォールを張り付けて外観を整える。この様なカーテンウォールの構造は、例えば特許文献１〜５に記載される等により、従来から各種知られている。又、この様なカーテンウォールにより構成された建造物の外壁面の意匠に就いて、建築主の要求が多様化している。
【０００３】
例えば図１４は、特許文献３に記載されたカーテンウォールにより構成した建造物の外壁面を示している。それぞれが縦方向に長い長矩形の石材パネル１、１を、水平方向に２列ずつ並べ、更に上下方向に並べて、縦方向に連続する柱の如く見える第一部分２、２とし、水平方向に隣り合う第一部分２、２同士の間を、ガラス窓３、３を含む第二部分４、４とする事が考えられている。この様な第一部分２、２と第二部分４、４とを水平方向に交互に配置した外壁面は、それぞれが１階分の高さ寸法を有する、第一〜第三の３種類のカーテンウォール５〜７を、上下方向に順番に組み合わせる事により構成している。この様な図１４に示した様な構造によれば、上記各石材パネル１、１の存在に基づいて建造物の外壁面の意匠を、石柱が設けられているが如くできる。
【０００４】
但し、上記図１４に示した構造及び上記他の特許文献に記載された構造を含めて、従来から知られている構造の場合には、建造物の外壁面のうちで隣り合うカーテンウォール同士の継ぎ目部分に、他の部分と異なる線が表れる。そして、この線が、カーテンウォールにより構成する建造物の外壁面の意匠設計上の制約となる。例えば、カーテンウォールの外面に、各カーテンウォールを連接する方向に関して凹部と凸部とを規則的に繰り返して成る凹凸意匠連続部を設けた場合、上記他の部分と異なる線の存在により、上記継ぎ目部分で、凹部と凸部との繰り返しが不規則になる。この様な不規則部分が生じると、建造物の外壁面の外観の統一性が損なわれる（建築主の要求に応じにくくなる）。
【０００５】
【特許文献１】特開平７−２６６３７号公報
【特許文献２】特開２００３−２５３７９５号公報
【特許文献３】特開２００４−８４２３６号公報
【特許文献４】特開２００４−１６９３８５号公報
【特許文献５】特開２００４−２１１３１０号公報
【発明の開示】
【発明が解決しようとする課題】
【０００６】
本発明は、上述の様な事情に鑑みて、カーテンウォールを連接する方向に関して凹部と凸部とを規則的に繰り返して成る凹凸意匠連続部を設けた場合でも、隣り合うカーテンウォール同士の継ぎ目部分で、凹部と凸部との繰り返しが不規則になる事のない構造を実現すべく発明したものである。
【課題を解決するための手段】
【０００７】
本発明の建造物の外壁及びカーテンウォールのうち、請求項１に記載した建造物の外壁に関する発明は、建造物の躯体に複数枚のカーテンウォールを、この躯体の開口部を塞ぐ状態で設置して成る。
この様な建造物の外壁を対象とする本発明では、上記各カーテンウォールは、支持枠と、凹凸意匠連続部と、張り出し凸部と、張り出し凹部とを備える。
このうちの支持枠は、４本の枠材により４辺を構成して成り、これら４本の枠材のうち、互いに並行な２本ずつ２組の枠材は、それぞれ一方の枠材の外面に受凹部を、他方の枠材の外面にこの受凹部に嵌合可能な形状及び大きさを有する嵌合凸部を、各枠材の全長に亙り設けたものである。そして、上記各カーテンウォールの連接方向に関して隣り合うカーテンウォール同士を、一方のカーテンウォールを構成する枠材の外面に形成された受凹部と、他方のカーテンウォールを構成する枠材の外面に形成された嵌合凸部とを嵌合させる事により組み合わせている。
又、上記凹凸意匠連続部は、断面形状を波形とした耐食鋼板により構成され、上記各カーテンウォールの屋外側面の少なくとも一部でこれら各カーテンウォールの端縁に迄達する部分に、これら各カーテンウォールを連接する方向に関して凹部と凸部とを規則的に繰り返して成るものである。
又、上記張り出し凸部は、上記凹凸意匠連続部を構成する凸部と同じ外面形状を有するもので、この凹凸意匠連続部を構成する凹部と凸部との繰り返し方向に関して隣り合う１対のカーテンウォールの互いに対向する端縁のうち、一方のカーテンウォールの端縁に、他方のカーテンウォールの端縁に向けて張り出す状態で、上記連接する方向に隣り合う状態で配置された上記一方のカーテンウォールを構成する枠材と上記他方のカーテンウォールを構成する枠材との間部分（継ぎ目部分）を屋外側から覆う様に設けられている。
更に、上記張り出し凹部は、上記凹凸意匠連続部を構成する凹部の底部と同じ外面形状を有し、この凹部の底部よりも大きな幅寸法を有するものであり、上記他方のカーテンウォールの端縁に、上記一方のカーテンウォールに向けて張り出す状態で設けられている。
そして、上記張り出し凹部を上記張り出し凸部の屋内側に隙間を介して潜り込ませる事で、この張り出し凸部と、上記他方のカーテンウォールの凹凸意匠連続部の端部に存在する凸部との間に、この凹凸意匠連続部を構成する凹部と同じ形状を有する連続部凹部を形成している。
【０００８】
又、請求項２に記載したカーテンウォールに関する発明は、支持枠に建造物の外壁面を構成するパネルを支持して成り、建造物の躯体に、この躯体の開口部を塞ぐ状態で設置する。
この様なカーテンウォールを対象とする本発明の場合には、上記支持枠を、４本の枠材により４辺を構成して成り、これら４本の枠材のうち、互いに並行な２本ずつ２組の枠材は、それぞれ一方の枠材の外面に受凹部を、他方の枠材の外面にこの受凹部に嵌合可能な形状及び大きさを有する嵌合凸部を、各枠材の全長に亙り設けたものとする。
又、上記パネルを、上記カーテンウォールの屋外側面の少なくとも一部で端縁に迄達する部分に、上記躯体にこのカーテンウォールを連接する方向に関して一端縁から他端縁に迄設けられた凹凸意匠連続部と、同じく一端縁に設けられた張り出し凸部と、同じく他端縁に設けられた張り出し凹部とを備えたものとする。
このうちの凹凸意匠連続部は、断面形状を波形とした耐食鋼板により構成され、上記連接する方向に関して凹部と凸部とを規則的に繰り返して成るものである。
又、上記張り出し凸部は、上記凹凸意匠連続部を構成する凸部と同じ外面形状を有するもので、上記連接する方向に上記カーテンウォールを配置した場合に、隣り合う状態で配置された枠材同士の間部分（継ぎ目部分）を屋外側から覆うものである。
更に、上記張り出し凹部は、上記凹凸意匠連続部を構成する凹部の底部と同じ外面形状を有し、この凹部の底部よりも大きな幅寸法を有するもので、その他端側部分が、隣り合う状態で配置されたカーテンウォールの一端縁に設けられた張り出し凸部の屋内側に隙間を介して配置されるものである。
【０００９】
上述の請求項２に記載したカーテンウォールに関する本発明を実施する場合、具体的には、請求項３に記載した様に、上記凹凸意匠連続部を、鋼板の表面に亜鉛メッキ層を被覆して成るものとする。
又、この凹凸意匠連続部を構成する耐食鋼板と屋内側に設けた耐火ボードとの間に断熱パネルを設置しており、これら耐食鋼板と耐火ボードと断熱パネルとから外れた部分の少なくとも一部に、ガラスパネルを備えた窓構造部を設ける。
更に、屋内側面のうちで上記窓構造部の下端部及び上記耐火ボードの上端部に位置する部分に窓開口の下縁を仕切る膳板を、同じく上記窓構造部の上端部に位置する部分にカーテンボックスを、それぞれ設ける。
【００１０】
又、請求項４に記載したカーテンウォールに関する発明は、支持枠に建造物の外壁面を構成するパネルを支持して成り、建造物の躯体に、この躯体の開口部を塞ぐ状態で設置する。
この様なカーテンウォールを対象とする本発明の場合には、上記支持枠を、４本の枠材により４辺を構成して成り、これら４本の枠材のうち、互いに並行な２本ずつ２組の枠材は、それぞれ一方の枠材の外面に受凹部を、他方の枠材の外面にこの受凹部に嵌合可能な形状及び大きさを有する嵌合凸部を、各枠材の全長に亙り設けたものとする。
又、上記パネルを、上記カーテンウォールの屋外側面の少なくとも一部で端縁に迄達する部分に、上記躯体にこのカーテンウォールを連接する方向に関して一端縁から他端縁に迄設けられた凹凸意匠連続部と、同じく一端縁に設けられた張り出し凸部と、同じく他端縁に設けられた張り出し凹部とを備えたものとする。
又、このうちの凹凸意匠連続部は、鋼板の表面に亜鉛メッキ層を被覆し、断面形状を波形とした耐食鋼板により構成され、上記連接する方向に関して凹部と凸部とを規則的に繰り返して成るものである。
又、上記張り出し凸部は、上記凹凸意匠連続部を構成する凸部と同じ外面形状を有するものである。
又、上記張り出し凹部は、上記凹凸意匠連続部を構成する凹部の底部と同じ外面形状を有し、この凹部の底部よりも大きな幅寸法を有するものである。
又、上記凹凸意匠連続部を構成する上記耐食鋼板と屋内側に設けた耐火ボードとの間に断熱パネルを設置しており、これら耐食鋼板と耐火ボードと断熱パネルとから外れた部分の少なくとも一部に、ガラスパネルを備えた窓構造部を設ける。
更に、この窓構造部の上端と上記凹凸意匠連続部の下端との間に換気構造部を設けており、屋内側面のうちで上記窓構造部の下端部及び上記耐火ボードの上端部に位置する部分に窓開口の下縁を仕切る膳板を、同じく上記窓構造部の上端部に位置する部分で、上記換気構造部の下端部に位置する部分にカーテンボックスを、それぞれ設ける。
【００１１】
更に、上述した請求項２〜４に記載したカーテンウォールを対象にした発明を実施する場合に好ましくは、例えば請求項５に記載した発明の様に、上記凹凸意匠連続部を、複数の素板をカーテンウォールの連接方向に連接して成るものとする。そして、これら各素板を支持枠に対してそれぞれ結合固定する。これに対して、上記張り出し凸部を、上記連接方向の一端側に設けられた枠材に、上記張り出し凹部を、同じく他端側に設けられた枠材に、それぞれ結合固定する。
【発明の効果】
【００１２】
上述の様に構成する本発明の建造物の外壁及びカーテンウォールによれば、カーテンウォールを連接する方向に関して凹部と凸部とを規則的に繰り返して成る凹凸意匠連続部を設けた場合でも、隣り合うカーテンウォール同士の継ぎ目部分で、凹部と凸部との繰り返しが不規則にならない。
即ち、隣り合うカーテンウォール同士の間には、一方のカーテンウォールの端縁に設けられた張り出し凸部と他方のカーテンウォールに設けられた張り出し凹部とにより構成された連続部凹部が存在する。この連続部凹部は、上記両カーテンウォールの外面に設けられた、凹凸意匠連続部を構成する凹部と同じ形状を有する。又、上記連続部凹部の両側には、上記一方のカーテンウォール側の張り出し凸部と、上記他方のカーテンウォール側の凹凸意匠連続部の端部に存在する凸部とが、各カーテンウォールの凹凸意匠連続部を構成する凹部及び凸部と同じ位置関係（ピッチ）で存在する。
従って、隣り合うカーテンウォール同士の継ぎ目部分で、凹部と凸部との繰り返しが不規則にならず、建造物の外壁面の外観を統一して、建築主の要求に応じられる。
更に、隣り合うカーテンウォール同士を、互いに屋内外方向に変位する事を阻止した状態で組み合わせる事ができて、これら各カーテンウォールを、周知の結合ユニットを利用して、建造物の躯体に対して地震の揺れを吸収可能に結合支持できる。
尚、請求項３、４に記載した様に、建造物の壁部に設置する構造物のうちの多くの部分をカーテンウォールに組み付ければ、躯体へのカーテンウォールの組み付けと同時に、上記壁部の構成作業の多くを済ませる事ができて、建設作業の能率化を図れる。
【発明を実施するための最良の形態】
【００１３】
［実施の形態の第１例］
図１〜９は、本発明の実施の形態の第１例を示している。図１〜３は、複数枚のカーテンウォール８、８ａにより構成した建造物の外壁を、屋外側から見た状態を示している。これら各カーテンウォール８、８ａは、一部のカーテンウォール８ａに消防進入窓９を設けている点を除き、同じ構成である。これら各カーテンウォール８、８ａの幅寸法はＷであり、高さ寸法はＨである。又、これら各カーテンウォール８、８ａは、上下方向に長い矩形の支持枠１０の屋外側面に、上から順番に、凹凸意匠連続部１１と、換気構造部１２と、窓構造部１３、１３ａとを設けている。上記支持枠１０は、それぞれがアルミニウム合金の押し出し型材製である、上枠１４（図６参照）及び下枠１５（図６参照）の水平方向両端部と、左右の竪枠１６、１７（図７〜９参照）の上下方向両端部とを、タッピングねじ（及び必要とすれば結合ブラケット）により結合固定して成る。この結合固定部の構造に就いては従来から周知であり、本発明の要点とも関係しないので、詳しい説明は省略する。
【００１４】
この様な上記支持枠１０の上半部屋外側面に、上記各カーテンウォール８、８ａの屋外側面に露出する状態で設けられた、上記凹凸意匠連続部１１は、鋼板の表面に亜鉛メッキ層を被覆し、断面形状を波形とした耐食鋼板製の素板１８、１８を、意匠の連続方向（水平方向）に連接する事により構成している。これら各素板１８、１８は、図７に示す様に、基板部１９と、凸部２０と、係止突条２１と、小凸部２２と、取付板部２３と、受凹溝２４とを備える。このうちの基板部１９は、平板状で、最も屋内寄り部分に設けられている。又、上記凸部２０は、断面形状が、先端側（屋外側）の幅寸法が小さくなる方向に傾斜した台形で、この凸部２０の一端側（図７の左端側）裾部と、上記基板部１９の一端縁（図７の右端縁）とが連続している。又、上記係止突条２１は、上記凸部２０の他端側（図７の右端側）裾部から、この凸部２０の幅方向中央側に折れ曲がっている。又、上記基板部１９の他端側（図７の左端側）には、上記小凸部２２を介して、上記取付板部２３を連続させている。この小凸部２２も、断面形状が、先端側（屋外側）の幅寸法が小さくなる方向に傾斜した略台形である。又、上記取付板部２３は、上記小凸部２２を境に、上記基板部１９と反対側に、この基板部１９と同一平面上に設けている。又、上記受凹溝２４は、上記小凸部２２のうちで、上記基板部１９側の裾部に、この小凸部２２の全長に亙り設けている。この様な上記各素板１８、１８は、例えば、上記耐食鋼板をロール成形する事により造る。
【００１５】
それぞれが上述の様な構成を有する、上記各素板１８、１８を上記各カーテンウォール８、８ａの上半部屋外側面に張設する為、図６〜７に示す様に、これら各素板１８、１８を構成する上記取付板部２３の上端部を前記上枠１４の下面屋外寄り部分に設けた垂下板部２５に、ねじ２８或いはリベットにより結合固定している。又、上記各素板１８、１８の下端部及び中間部を、それぞれが上記支持枠１０を構成する左右の竪枠１６、１７同士の間に掛け渡された無目２６（図５の上部参照）及びブラインド無目２７（図６の下部参照）の下面屋外端部に設けた垂下板部２５ａ、２５ｂに、ねじ２８或いはリベットにより結合固定している。上記各素板１８、１８は上記各カーテンウォール８、８ａの上半部屋外側面に、図７の右側から順番に張設する。そして、先に張設した（ねじ２８により上記支持枠１０に対し固定した）素板１８の受凹溝２４に、後から張設する素板１８の係止突条２１を挿入しつつ、順次これら各素板１８、１８を上記支持枠１０に対し固定する。
【００１６】
上述の様にこれら各素板１８、１８を上記支持枠１０に対し固定した状態で、上記各カーテンウォール８、８ａの上半部屋外側面に、前記凹凸意匠連続部１１が設けられる。この凹凸意匠連続部１１は、上記各カーテンウォール８、８ａを連接する水平方向に関して、凹部２９、２９と凸部３０、３０とを規則的に繰り返して成る、波形である。この様な上記凹凸意匠連続部１１は、上記各カーテンウォール８、８ａの連接方向に関して、一端縁から他端縁に迄設けている。又、これら各カーテンウォール８、８ａの一端縁に、上記凹凸意匠連続部１１を構成する上記各凸部３０、３０と同じ外面形状を有する張り出し凸部３１を、上記各カーテンウォール８、８ａの一方の竪辺を構成する竪枠１６の外側縁よりも水平方向に突出する状態で設けている。又、上記各カーテンウォール８、８ａの他端縁に、上記凹凸意匠連続部１１を構成する上記各凹部２９、２９の底部と同じ外面形状を有し、これら各凹部２９、２９の底部よりも大きな幅寸法を有する張り出し凹部３２を、上記各カーテンウォール８、８ａの他方の竪辺を構成する竪枠１７の外側縁よりも水平方向に突出する状態で設けている。
【００１７】
上記張り出し凸部３１を設ける為に、図示の例では、図７の下部中央部に示す様に、上記一方の竪辺を構成する竪枠１６に支持ブラケット３３ａ、３３ｂをねじ止め固定し、このうちの支持ブラケット３３ｂに上記張り出し凸部３１を、ねじ或いはリベットにより結合固定している。この張り出し凸部３１は、上記各素板１８、１８と同じ耐食鋼板にロール加工を施す事により、これら各素板１８、１８を構成する凸部２０（上記凹凸意匠連続部１１を構成する上記各凸部３０、３０と同じ）とほぼ同じ、断面台形に形成している。即ち、上記張り出し凸部３１は、上記凸部２０の基端部を除いた如き（高さ寸法が少しだけ小さい）台形であり、上記各カーテンウォール８、８ａに装着した状態で、上記凹凸意匠連続部１１を構成する上記各凸部３０、３０の頂面（台形の上辺、図７の下面）と上記張り出し凸部３１の頂面とが、同一平面上に位置する。又、この張り出し凸部３１の基端面（図７の上面）は、上記各カーテンウォール８、８ａの左右両竪辺を構成する、各竪枠１６、１７の屋外側面よりも屋外側に位置する。
【００１８】
又、上記張り出し凹部３２を構成する為に、図示の例では、上記各カーテンウォール８、８ａの他端部屋外側面に固定する素板１８ａとして、他の素板１８、１８とは異なり、前記小凸部２２と前記取付板部２３と前記受凹溝２４とを備えていないものを使用している。即ち、上記素板１８ａは、基板部１９のうちで凸部２０と反対側部分を、そのままこの素板１８ａの端縁迄延長して、延長板部３４としたものである。この延長板部３４が、上記凹凸意匠連続部１１を構成する前記各凹部２９、２９の底部よりも大きな幅寸法を有する、上記張り出し凹部３２となる。この様な素板１８ａは、上記延長板部３４を、上記各カーテンウォール８、８ａの他方の竪辺を構成する竪枠１７の屋外側面（図７の下面）に、ねじ、リベット等により固定している。
【００１９】
上述の様な張り出し凹部３２は、隣り合うカーテンウォール８、８ａを水平方向に連接した状態で、隣接する別のカーテンウォール８、８ａの側に設けられた、上記張り出し凸部３１の屋内側に隙間を介して潜り込む。そして、この別のカーテンウォール８、８ａの側の張り出し凸部３１と、上記張り出し凹部３２を設けたカーテンウォール８、８ａ側の凸部２０（３０）との間に、これら各カーテンウォール８、８ａの凹凸意匠連続部１１、１１を構成する凹部２９、２９と同じ形状を有する連続部凹部３５を形成する。即ち、上記各カーテンウォール８、８ａは、図６の右下部に示す様に建造物の躯体３８（鉄骨）に対し、周知の結合ユニット３９を使用して、地震の揺れを吸収可能に結合支持する。この際、上記水平方向に隣り合うカーテンウォール８、８ａ同士は、図７に示す様に、上記一方の竪辺を構成する竪枠１６の外側面に設けた受凹部３６と、他方の竪辺を構成する竪枠１７の外側面に設けた嵌合凸部３７とを嵌合させる事で、互いに屋内外方向（図７の上下方向）の変位を阻止した状態で組み合わせる。この状態で、隣り合うカーテンウォール８、８ａ同士の間に上記連続部凹部３５を形成し、図１に示す様に、これら各カーテンウォール８、８ａの凹凸意匠連続部１１、１１の意匠が、複数枚のカーテンウォール８、８ａに亙って連続する。
【００２０】
尚、これら各カーテンウォール８、８ａ同士の連続部は、水平方向に隣接するカーテンウォール８、８ａ同士の間で、上記受凹部３６と嵌合凸部３７とを嵌合させるだけでなく、上下方向に隣接するカーテンウォール８、８ａ同士の間でも、同様に組み合わせる。即ち、図６の上部に示す様に、これら各カーテンウォール８、８ａの上辺を構成する前記上枠１４の上面に受凹部４０を、下辺を構成する前記下枠１５の下面に嵌合凸部４１を、それぞれ形成する。そして、これら受凹部４０と嵌合凸部４１とを嵌合させつつ、上記各カーテンウォール８、８ａを上下方向に連接する事で、上下に隣り合うカーテンウォール８、８ａ同士が、屋内外方向（図６の左右方向）にずれ動く事を防止する。
【００２１】
又、上記各カーテンウォール８、８ａのうちで、上記凹凸意匠連続部１１の屋内側には、石膏ボード等の耐火ボード４２を設けている。建造物の完成状態では、この耐火ボード４２の屋内側面（図６の右側面、図７の上面）に壁紙等を張って、屋内壁面を構成する。又、上記凹凸意匠連続部１１を構成する前記各素板１８、１８ａと上記耐火ボード４２との間に、グラスウール、発泡ポリスチレン等の断熱材を１対の耐食鋼板同士の間に挟み込んで成る、断熱パネル４３を設置している。
【００２２】
又、上記各カーテンウォール８、８ａの上下方向中間部で上記凹凸意匠連続部１１の下側部分に、前記換気構造部１２を設けている。この換気構造部１２は、図５の下半部及び図９の下部両側部分に示す様に、複数枚の羽板４４、４４から成るルーバー４５と金網４６とを組み合わせて成り、上記各カーテンウォール８、８ａの内外方向の通気を可能としている。この様な換気構造部１２は、上記凹凸意匠連続部１１の下端縁部を仕切る前記無目２６の下面と、この無目２６の下方に水平方向に設けた別の無目４７の上面との間に設けている。
【００２３】
又、上記各カーテンウォール８、８ａの下部で上記換気構造部１２の下側部分に、前記窓構造部１３、１３ａを設けている。この窓構造部１３、１３ａは、大半のカーテンウォール８、８に関しては、嵌め殺し窓４８である。この嵌め殺し窓４８は、上記別の無目４７（図５の下部参照）の下面と、前記下枠１５（図６の上部参照）の上面と、左右の竪枠１６、１７（図８参照）の内側面との間で、ガラスパネル４９の四辺を支持固定して成る。尚、前記消防進入窓９を設けたカーテンウォール８ａに関しては、上記窓構造部１３ａは、この消防進入窓９と嵌め殺し窓４８ａとの組み合わせとなる。又、図示の例では、何れのカーテンウォール８、８ａに関しても、上記別の無目４７の屋外側面に庇５０を固定して、上記ルーバー４５から流下した雨水が、そのまま上記ガラスパネル４９の屋外側面に流下する事のない様にしている。
【００２４】
更に、上記各カーテンウォール８、８ａの上辺を構成する、前記上枠１４の屋内側端部に、図６の上部に示す様に、押し出し型材製のアタッチメント５１を介して、膳板５２を固定している。上記各カーテンウォール８、８ａを上下方向に連接した状態で、この膳板５２は、図６に示す様に、上記各カーテンウォール８、８ａの屋内側面のうちで、上記窓構造部１３、１３ａの下端部及び前記耐火ボード４２の上端部に対応する部分に位置する。そして、上記各カーテンウォール８、８ａの屋内側部分で、上記窓構造部１３、１３ａによる窓開口の下縁を仕切る。又、上記窓構造部１３、１３ａの上端部と前記換気構造部１２の下端部との間に設けた前記別の無目４７の屋内側面に、図５に示す様に、カーテンボックス５３を固定している。更に、同図に示す様に、上記換気構造部１２の屋内側を覆う状態で換気ダクト５４を、上記無目４７と前記無目２６とに掛け渡す状態で固定している。
【００２５】
上述の様に構成する本例の構造は、上記各カーテンウォール８、８ａを建造物の躯体に対し、下から上に、同一階に関しては図１、７の右から左に、順番に組み付ける。組み付けた状態でこれら各カーテンウォール８、８ａの上半部に設けた凹凸意匠連続部１１、１１は、図１、７に示す状態に組み合わされる。そして、これら各凹凸意匠連続部１１、１１を構成する凹部２９、２９及び凸部３０、３０とが、前記連続部凹部３５を介して、上記各カーテンウォール８、８ａを連接する方向に関して規則的に繰り返される。言い換えれば、前記張り出し凸部３１によって、隣り合う状態で配置された前記竪枠１６と前記竪枠１７との間部分を屋外側から覆える為、隣り合うカーテンウォール８、８ａ同士の継ぎ目部分で、凹部と凸部との繰り返しが不規則にならず、建造物の外観が良好になる。
【００２６】
更に、図示の例では、上記建造物の躯体に上記各カーテンウォール８、８ａを組み付ければ、この建造物の内壁面に、膳板５２、カーテンボックス５３、換気ダクト５４迄も同時に組み付けられる。この為、上記各カーテンウォール８、８ａの組み付け作業と同時に、上記壁部の構成作業の多くを済ませる事ができて、建設作業の能率化を図れる。
【００２７】
［実施の形態の第２例］
図１０〜１３は、本発明の実施の形態の第２例を示している。上述の第１例が、建造物の壁面の中間部を対象としていたのに対して、本例の場合には、隅角部を対象としている。この為、隅角部を構成する一部のカーテンウォール８ｂ、８ｂに関しては、屋外側面全体を凹凸意匠連続部１１ａとしている。窓開口部や換気口部は設けていない。これに合わせて、上記一部のカーテンウォール８ｂ、８ｂの凹凸意匠連続部１１ａの端部に関しては、換気構造部１２及び窓構造部１３との境目に設けた端部見切材５５で終了させている。その他の部分の構成に関しては、基本的には、上述した実施の形態の第１例と同様であるから、重複する説明は省略する。
【図面の簡単な説明】
【００２８】
【図１】本発明の実施の形態の第１例を示す、建造物の外壁面を屋外側から見た部分正面図。
【図２】図１のＡ−Ａ断面図。
【図３】同Ｂ−Ｂ断面図。
【図４】同拡大Ｃ−Ｃ断面図。
【図５】同拡大Ｄ−Ｄ断面図。
【図６】同拡大Ｅ−Ｅ断面図。
【図７】図４のＦ部拡大図。
【図８】図１の拡大Ｇ−Ｇ断面図。
【図９】同拡大Ｈ−Ｈ断面図。
【図１０】本発明の実施の形態の第２例を示す、建造物の外壁面を屋外側から見た部分正面図。
【図１１】図１０のＩ−Ｉ断面図。
【図１２】図１０の拡大Ｊ−Ｊ断面図。
【図１３】同拡大Ｋ−Ｋ断面図。
【図１４】従来構造の１例を示す、建造物の外壁面を屋外側から見た部分正面図。
【符号の説明】
【００２９】
１    石材パネル
２    第一部分
３    ガラス窓
４    第二部分
５    第一のカーテンウォール
６    第二のカーテンウォール
７    第三のカーテンウォール
８、８ａ、８ｂ  カーテンウォール
９    消防進入窓
１０    支持枠
１１、１１ａ  凹凸意匠連続部
１２    換気構造部
１３、１３ａ  窓構造部
１４    上枠
１５    下枠
１６    竪枠
１７    竪枠
１８、１８ａ  素板
１９    基板部
２０    凸部
２１    係止突条
２２    小凸部
２３    取付板部
２４    受凹溝
２５、２５ａ、２５ｂ  垂下板部
２６    無目
２７    ブラインド無目
２８    ねじ
２９    凹部
３０    凸部
３１    張り出し凸部
３２    張り出し凹部
３３ａ、３３ｂ  支持ブラケット
３４    延長板部
３５    連続部凹部
３６    受凹部
３７    嵌合凸部
３８    躯体
３９    結合ユニット
４０    受凹部
４１    嵌合凸部
４２    耐火ボード
４３    断熱パネル
４４    羽板
４５    ルーバー
４６    金網
４７    無目
４８、４８ａ  嵌め殺し窓
４９    ガラスパネル
５０    庇
５１    アタッチメント
５２    膳板
５３    カーテンボックス
５４    換気ダクト
５５    端部見切材
【図１】
0004628308.tif 000002
【図２】
0004628308.tif 000003
【図３】
0004628308.tif 000004
【図４】
0004628308.tif 000005
【図５】
0004628308.tif 000006
【図６】
0004628308.tif 000007
【図７】
0004628308.tif 000008
【図８】
0004628308.tif 000009
【図９】
0004628308.tif 000010
【図１０】
0004628308.tif 000011
【図１１】
0004628308.tif 000012
【図１２】
0004628308.tif 000013
【図１３】
0004628308.tif 000014
【図１４】
0004628308.tif 000015